(57)【要約】【課題】簡易な方法で確実に洗剤タンク内の洗剤量を精度よく検出することができる便器装置を提供する。【解決手段】便器装置１は、洗剤タンクが収容されるタンク収容部を有したものであって、収容状態にある洗剤タンク３０の一側面３１に対向する、タンク収容部２０の側壁２３に、タンク内洗剤量を検出するセンサ４０が設けられており、センサ４０を設けた側壁２３に対向する他の側壁２２の内面に、洗剤タンク３０をセンサ４０側に押しつける押圧部２６が設けてある。【選択図】図１
2020033692.tif 000002
【特許請求の範囲】
【請求項１】
洗剤タンクが収容されるタンク収容部を有した便器装置であって、
収容状態にある前記洗剤タンクの一側面に対向する、前記タンク収容部の側壁に、タンク内洗剤量を検出するセンサが設けられており、
前記センサを設けた前記側壁に対向する他の側壁の内面に、前記洗剤タンクを前記センサ側に押しつける押圧部を設けたことを特徴とする便器装置。
【請求項２】
請求項１において、
前記押圧部を設けた側壁における前記押圧部の上部側の内面が、内方に向かう下り傾斜面とされることを特徴とする便器装置。
【請求項３】
請求項１または２において、
前記センサで検出したタンク内洗剤量が、所定の量以下の場合にその旨を報知する報知手段を備えたことを特徴とする便器装置。
【発明の詳細な説明】
【技術分野】
【０００１】
本発明は、洗剤タンクが収容されるタンク収容部を有した便器装置に関する。
【背景技術】
【０００２】
従来の洋風便器装置には、便器本体の後部などに、ボウル部などに供給する洗剤を貯留した洗剤タンクを収容するタンク収容部が設けてあるものが知られている（例えば、特許文献１参照）。この洗剤タンクはタンク収容部に対して出し入れが可能であり、洗剤量が少なくなってきたときには、タンク収容部より取り出して洗剤を補充できるようになっている。
【先行技術文献】
【特許文献】
【０００３】
【特許文献１】特開２０１５−１４８０８１号公報
【発明の概要】
【発明が解決しようとする課題】
【０００４】
しかしながら、タンク収容部は洗剤タンクの周囲をほとんど隙間なく囲むように形成された凹部であるため、洗剤タンクが収容された状態で上方から見ただけでは洗剤量を判別することはできない。したがって、洗剤量を確認するには洗剤タンクを取り出さなければならず、よって洗剤の補充タイミングを知るために、洗剤タンクをなんども出し入れする必要性もある。
【０００５】
また、タンク内洗剤量を簡単に検知するためには、洗剤タンク内に洗剤の貯留レベルを検出するセンサを設けることが想定できるが、タンク内であるため、センサの位置ずれや故障を視認により判別しにくく、その状態のまま放置されるおそれがある。したがって、タンク内にセンサを配する方法では一定の検出精度が得られない可能性がある。また、この手法ではセンサの交換もしにくい。
【０００６】
本発明は、このような事情を考慮して提案されたものであって、その目的は、簡易な方法で確実に洗剤タンク内の洗剤量を精度よく検出することができる便器装置を提供することにある。
【課題を解決するための手段】
【０００７】
上記目的を達成するために、本発明の便器装置は、洗剤タンクが収容されるタンク収容部を有した便器装置であって、収容状態にある洗剤タンクの一側面に対向する、タンク収容部の側壁に、タンク内洗剤量を検出するセンサが設けられており、センサを設けた側壁に対向する他の側壁の内面に、洗剤タンクを前記センサ側に押しつける押圧部を設けたことを特徴とする。
【発明の効果】
【０００８】
本発明の便器装置は上述した構成とされているため、簡易な方法で確実に洗剤タンク内の洗剤量を精度よく検出することができる。
【図面の簡単な説明】
【０００９】
【図１】本発明の一実施形態に係る便器装置の説明図である。（ａ）は便器装置の概略斜視図、（ｂ）は（ａ）のＡ−Ａ線に対応した概略拡大断面図である。
【図２】同便器装置のタンク収容部に対する洗剤タンクの出し入れ状態を示す図である。
【図３】（ａ）（ｂ）は、タンク収容部に設ける押圧部の２形態例を示す部分拡大断面図である。
【発明を実施するための形態】
【００１０】
以下に、本発明の実施の形態について添付図面にもとづいて説明する。
【００１１】
まず、本便器装置１の基本構成について説明する。なお以下の説明においては、便器装置１に着座して使用する場合における使用者から見た場合の前後方向などを基準として方向を規定している。
【００１２】
本便器装置１は洗剤タンク３０が収容されるタンク収容部２０を有している。収容状態にある洗剤タンク３０の一側面３１に対向する、タンク収容部２０の側壁２３には、タンク内洗剤量を検出するセンサ４０が設けられている。センサ４０を設けた側壁２３に対向する他の側壁２２の内面には、洗剤タンク３０をセンサ４０側に押しつける押圧部２６が設けられている。
ついで、便器装置１の詳細について説明する。
【００１３】
便器装置１の便器本体１０は、ボウル１１と、ボウル１１を側方より囲うように配された周壁１３と、便座１２と、便蓋（不図示）と、便座１２や便蓋、ボウル１１の後方に配された本体後部１４とを備えている。便座１２および便蓋は回動により開閉自在とされている。
【００１４】
本体後部１４の下部には、後部側の周壁１３に囲まれたトラップ装置（不図示）、配管（不図示）などが配されている一方、上部には、便座１２、便蓋の回動軸が設けられ、さらにその後方にタンク収容部２０が設けてある。なお、図１（ａ）においては、タンク収容部を上方より覆う後部カバー（不図示）を外した状態が図示してある。
【００１５】
タンク収容部２０は、後部カバーを外した状態では上方に開口しており、その開口を介して洗剤タンク３０を出し入れすることができる。タンク収容部２０は、洗剤タンク３０からポンプ（不図示）で吸引される液状の洗剤をボウル１１へと送り込むための液導入口（不図示）が形成されている。
【００１６】
このタンク収容部２０は、図１（ａ）（ｂ）に示すように、略直方体形状の収容空間２１を有している。これに対して、この収容空間２１に収容される洗剤タンク３０も略直方体形状の容器とされ、外部上面には取っ手３２が形成されている。タンク収容部２０の深さと、洗剤タンク３０の取っ手３２上端までの高さとは、図１（ｂ）に示すように、取っ手３２がタンク収容部２０の開口より突出しない程度の寸法関係とすることが望ましい。
【００１７】
タンク収容部２０は、収容空間２１を四方および下方より覆うように、４つの側壁２２、２３、２４と、底部２５とを有している。これらの側壁２２、２３、２４および底部２５は合成樹脂などの板体により本体後部１４と一体に形成されている。
【００１８】
図１（ｂ）に示すように、４つの側壁２２、２３、２４のうち前側（ボウル１１側）のものを除く側壁２３、２４は、内外面が略平坦とされる。これに対して前側の側壁２２は、上部側に位置する開口側部２２ａが収容空間２１側に下り傾斜形状とされている。この傾斜は、すくなくとも内面が内方に向かう下り傾斜面２２ｂとすることが望ましい。
【００１９】
一方、前側の側壁２２の下部側に位置する底側部２２ｃは、その上側部が収容空間２１側に突出するように厚く、下部が薄く形成されている。底側部２２ｃの上部の突出した部分が、収容空間２１に収容される洗剤タンク３０を、後ろ側の側壁２３にほとんど隙間ができないように押しつけるための押圧部２６とされる。
【００２０】
この後ろ側の側壁２３の外面には、センサ４０（センサ電極）が取りつけられている。このセンサ４０は静電容量式のレベル計とされ、洗剤タンク３０の側面３１とは非接触な状態で、タンク内洗剤量（洗剤の液面Ｂ）を検出できる構成とされている。具体的には、センサ電極は図１（ｂ）のように高さ方向に沿って貼りつけられ、そのセンサ４０から液面Ｂに関する電気信号を出力する構成とされている。さらに具体的には、このセンサ４０は、センサ電極の上端高さ位置よりも洗剤の液面Ｂが下がったときに静電容量が低下するようになっている。
【００２１】
このセンサ４０は、例えば便器装置１の洗浄動作の制御を担う制御部４１に電気的に接続されており、制御部４１がセンサ４０からの電気信号により、洗剤タンク３０の液面Ｂの低下を判別できるようになっている。つまり、制御部４１は、センサ４０で検出した電気信号を変換したタンク内洗剤量が所定の量以下になったことで、洗剤の補充タイミングであることを判別する。そして、制御部４１は、その旨をランプ４２などの報知手段で報知すればよい。報知手段はランプ４２に代えて、あるいは加えて、ブザーであってもよい。なお、便器装置１自体の制御部４１ではなく、他の信号処理部を設けて、その信号処理部で処理するようにしてもよい。
【００２２】
このように、本便器装置１は、洗剤タンク３０をタンク収容部２０に収容させた状態で、自動で液面Ｂの下限閾値への到達を検出し、洗剤の補充タイミングを報知する構成となっている。そのため、使用者は洗剤タンク３０を取り外して確認することなく、洗剤量の下限閾値への到達を検知することができる。また、センサ４０は洗剤タンク３０内に配設しなくてもよいため、センサ４０の保守もしやすい。また、センサ４０は側壁２３の外面に、その側壁２３以外には接触しないように取りつけてあるため、洗剤タンク３０の出し入れなどで位置ずれは発生しにくく、それによって検出精度は一定する。
【００２３】
また、このセンサ電極は液面Ｂ低下の検出対象とされる液状の洗剤に、より近接した状態に配されることが望ましい。そのため本実施形態の便器装置１では、押圧部２６により洗剤タンク３０をセンサ４０側の側壁２３に押しつける構造にしている。このような構成により、センサ４０の検出精度を向上させることができる。
【００２４】
なお、センサ４０を側壁２３の内面に取りつけるようにしてもよい。センサ４０を側壁２３の内面に取りつければ、洗剤タンク３０の出し入れで、洗剤タンク３０がセンサ４０に接触するおそれがあるから、それを防止するために、側壁２３の内面側に凹部を設けて、その凹部内にセンサ４０を収容、配設するようにしてもよい。
【００２５】
洗剤タンク３０は、上述したように、センサ４０（を取りつけた側壁２３）に対して、図例のように、より近接した状態となるように、タンク収容部２０に収容されることが望ましい。したがって、センサ４０を設けた側壁２３に対向する他の側壁２２に設けた押圧部２６は、洗剤タンク３０の下部においても隙間なく密着するものであってもよい。ようするに、洗剤タンク３０が収容された状態において、図１（ｂ）に示したような隙間凹部２７ができないもの、つまり洗剤タンク３０とタンク収容部２０とが隙間なく嵌合（圧嵌）するもの、つまり側壁２２の底側部２２ｃの全体が押圧部２６として作用するものであってもよい。
【００２６】
本実施形態の便器装置１では、図１（ｂ）に示すように、押圧部２６を高さ方向に短く形成して洗剤タンク３０の出し入れの際の摩擦抵抗を小さくするようにしている。そのため、洗剤タンク３０をタンク収容部２０に対して、よりスムーズに出し入れすることができる。
【００２７】
また、洗剤タンク３０のタンク収容部２０に対する装着をよりしやすくするために、側壁２２の上部側の内面が、図１（ｂ）に示したような下り傾斜面２２ｂとされていることが望ましい。図２に示すように、この下り傾斜面２２ｂは、洗剤タンク３０をタンク収容部２０に収容する際のガイド面となり得る。つまり、洗剤タンク３０がタンク収容部２０にほとんど隙間なく収容される収容構造であっても、下り傾斜面２２ｂにより出し入れ用の開口が大きくなるから洗剤タンク３０を入れやすく、洗剤タンク３０を下り傾斜面２２ｂに沿って移動させることで簡易に収容することができる。
【００２８】
この下り傾斜面２２ｂは、タンク収容部２０の前後、左右のいずれの側壁２２、２３、２４に設けてもよいが、便器装置１のトイレ室における配置からすれば、着脱のしやすい、本実施形態のもののように前側の側壁２２に形成されていることが望ましい。
【００２９】
また、押圧部２６が、側壁２２、２３間の方向に弾性収縮、復帰するような弾性体で構成されるようにしてもよい。具体的には、図３（ａ）（ｂ）に示すような弾性構造とすればよい。
【００３０】
図３（ａ）に示した押圧部２６は、側壁２２との間に隙間２６ｂを設けて押圧片２６ａを形成したもので、洗剤タンク３０がタンク収容部２０に収容された状態では、この隙間２６ｂが横方向に圧縮される。押圧片２６ａは復帰弾性力によりセンサ４０（図１参照）側の側壁２３（図１参照）に対し洗剤タンク３０を押圧するため、洗剤タンク３０とセンサ４０側の側壁２３とは、隙間が発生しないような、より近接した状態となり得る。
【００３１】
図３（ｂ）に示した押圧部２６は、ゴムで形成されており、洗剤タンク３０がタンク収容部２０に収容された状態では、ゴムの圧縮の復帰弾性力により、洗剤タンク３０とセンサ４０（図１参照）側の側壁２３（図１参照）とは、より近接した状態となり得る。なお、弾性体としては、コイルばねを内装したものであってもよい。
【符号の説明】
【００３２】
１          便器装置
１０        便器本体
２０        タンク収容部
２１        収容空間
２２        側壁（前側）
２２ａ      開口側部
２２ｂ      下り傾斜面
２２ｃ      底側部
２３        側壁（後ろ側）
２４        （その他の）側壁
２６        押圧部
３０        洗剤タンク
４０        センサ
４１        制御部
４２        ランプ（報知手段）
【図１】
2020033692.tif 000003
【図２】
2020033692.tif 000004
【図３】
2020033692.tif 000005